(57)【特許請求の範囲】
【請求項１】
筺体の底部に取り付けた卓上用ベースまたは壁掛け用ブラケットによって卓上用と壁掛け用とに使用する卓上・壁掛け兼用電子機器において、前記卓上用ベースを前記筺体の底部に係脱自在に枢着するとともに、この卓上用ベースに設けた弾性変形可能な係合片に、前記筺体の底部に固定した壁掛け用ブラケットに設けた係合部を係合させたことを特徴とする卓上・壁掛け兼用電子機器。
【請求項２】
請求項１記載の卓上・壁掛け兼用電子機器において、前記壁掛け用ブラケットを前記筺体の底部の卓上用または壁掛け用の２位置に固定自在とし、前記卓上用ベースに設けた弾性変形可能な係合片に、前記卓上用の位置に固定した壁掛け用ブラケットに設けた係合部を係合させたことを特徴とする卓上・壁掛け兼用電子機器。
【請求項３】
請求項１または２記載の卓上・壁掛け兼用電子機器において、前記壁掛け用ブラケットに前記卓上用ベースを係脱自在な係合手段によって取り付け、この係合手段に、卓上時における前記筺体の表面の角度を変える複数の係合部を設けたことを特徴とする卓上・壁掛け兼用電子機器。
【請求項４】
請求項２または３記載の卓上・壁掛け兼用電子機器において、前記壁掛け用ブラケットまたは前記卓上用ベースの少なくともいずれか一方に、コードを巻取る巻取部を設けたことを特徴とする卓上・壁掛け兼用電子機器。
【発明の詳細な説明】
【０００１】
【発明の属する技術分野】
本発明は、卓上と壁掛けとの両方で使用される電話機等の卓上・壁掛け兼用電子機器に関する。
【０００２】
【従来の技術】
例えば、電話機等を卓上で使用する場合には、ダイヤルボタン等の操作性の向上やディスプレイの内容を視認しやすくするために、筺体の底部に側面視において三角形の卓上用ベースを取り付け、電話機の上端側を高くし、電話機の前面を側面視において傾斜させている。一方、壁掛け用として使用する場合には、この卓上用ベースを取り外し、壁に固定した壁掛け用部材に係合させる壁掛け用ブラケットを筺体の底部に取り付けていた。
【０００３】
【発明が解決しようとする課題】
しかしながら、従来の卓上・壁掛け兼用電子機器においては、両ブラケットのうち、不要になったブラケットは、筺体の底部から取り外されるので、これを後日壁掛け用として機器を使用できるために保管しておく必要があった。一般に、この種の電子機器においては、卓上で使用する場合が大半を占めており、このため殆どのブラケットは保管されているが、まれに壁掛け用に変更しようとしても保管場所を失念するなど紛失してしまうことが多く、これを解決する手段が要請されていた。
【０００４】
本発明は上記した従来の問題に鑑みなされたものであり、その目的とするところは、壁掛け用ブラケットの紛失を防止した卓上・壁掛け兼用電子機器を提供することにある。
【０００５】
【課題を解決するための手段】
この目的を達成するために、請求項１に係る発明は、筺体の底部に取り付けた卓上用ベースまたは壁掛け用ブラケットによって卓上用と壁掛け用とに使用する卓上・壁掛け兼用電子機器において、前記卓上用ベースを前記筺体の底部に係脱自在に枢着するとともに、この卓上用ベースに設けた弾性変形可能な係合片に、前記筺体の底部に固定した壁掛け用ブラケットに設けた係合部を係合させたものである。
したがって、壁掛け用ブラケットが常時筺体の底部に取り付けられている。
【０００６】
また、請求項２に係る発明は、請求項１に係る発明において、前記壁掛け用ブラケットを前記筺体の底部の卓上用または壁掛け用の２位置に固定自在とし、前記卓上用ベースに設けた弾性変形可能な係合片に、前記卓上用の位置に固定した壁掛け用ブラケットに設けた係合部を係合させたものである。
したがって、壁掛け時のみならず卓上で使用する場合も、壁掛け用ブラケットが筺体の底部に取り付けられている。
【０００７】
また、請求項３に係る発明は、請求項１または２に係る発明において、前記壁掛け用ブラケットに前記卓上用ベースを係脱自在な係合手段によって取り付け、この係合手段に、卓上時における前記筺体の表面の角度を変える複数の係合部を設けたものである。
したがって、壁掛け用ブラケットを、枢支部を回動中心として回動させ、係合手段の複数の係合部のうちのいずれかを選択することにより、筺体の前面と水平面とのなす角度を変えることができる。
【０００８】
また、請求項４に係る発明は、請求項２または３に係る発明において、前記壁掛け用ブラケットまたは前記卓上用ベースの少なくともいずれか一方に、コードを巻取る巻取部を設けたものである。
したがって、壁掛け用ブラケットまたは卓上用ベースを筺体から取り外した状態でコードの巻取りができる。
【０００９】
【発明の実施の形態】
以下、本発明の実施の形態を図を用いて説明する。図１は本発明に係る卓上・壁掛け兼用電子機器において、壁掛け用として使用する場合の底面側から視た斜視図、図２は同じく壁掛け用として使用している状態を示す断面図である。図３は壁掛け用ブラケットを示し、同図（ａ）は上面側から視た斜視図、同図（ｂ）は底面側から視た斜視図である。図４は同じく卓上用として使用する場合の底面側から視た斜視図、図５は同じく底面図、図６は同じく卓上用として使用している状態を示す図５におけるVI-VI 線断面図、図７は同じく卓上用として、前面の角度を変えて使用している状態を示すVI-VI 線断面図である。
【００１０】
まず、図１ないし図３を用いて壁掛けで使用する場合を説明する。
図１において、全体を符号１で示すものは、卓上・壁掛け兼用電子機器としての電話機の筺体であって、この筺体１は扁平な箱状に形成され下方が開口されたアッパーケース２と、扁平な箱状に形成され上方が開口されたロアーケース３とからなり、両ケース２，３のそれぞれの開口が突き合わされるようしてねじによって合体されている。図２において、アッパーケース２の上面２ａには、図示を省略しているが、ダイヤルボタンや機能ボタン等のボタン類またはディスプレイあるいはハンドセットが設けられている。
【００１１】
図１において、ロアーケース３の底板４の下部の左右には、一対の支承部５，５が立設され、これら支承部５，５の先端部のそれぞれには、互いに対向する小径円柱状の枢支部６，６が突設されている。７はロアーケース３の底板４の下部側に膨出形成された正面視長方形の外形が大きい膨出部であって、上端の左右に一対の凹部７ａ，７ａが設けられ、下部中央に外形が小さい膨出部８が膨出形成され、上部の左右には一対のねじ孔１３，１３が設けられている。
【００１２】
膨出部８の上面には、正面視だるま形の係合孔９が設けられ、この係合孔９の一端には幅広の開口９ａが形成され、係合孔９の紙面奥方向には、この係合孔９と略同一形状の舌片１０が膨出部８に一体に突設されており、この舌片１０と係合孔９との間には係入溝１１が設けられている。
【００１３】
図３において、全体を１５で示すものは壁掛けブラケットであって、細長い長方形に形成された上板１６と、この上板１６の端縁に立設された囲い壁とによって下方が開口した箱状に形成されている。この壁掛けブラケット１５の上板１６の中央部には、上述した係合孔９と同一形状の正面視だるま形の係合孔１７が設けられ、この係合孔１７の一端には幅広の開口１７ａが形成されている。この係合孔１７の紙面奥方向には、この係合孔１７と略同一形状の舌片１８が壁掛けブラケット１５に一体に突設されており、この舌片１８と係合孔１７との間には係入溝１９が設けられている。
【００１４】
上板１６の左右端部には、一対のねじ挿通孔２０，２０が設けられ、これらねじ挿通孔２０，２０の内側には、一対の有底円筒状のコード巻取部２１，２１が裏面側に立設されている。これらコード巻取部２１，２１のそれぞれの底部には、ねじ挿通孔２２，２２が設けられているとともに、このコード巻取部２１，２１に巻取られたコードが外れるのを規制する規制片２３，２３が側方に突設されている。壁掛けブラケット１５の囲い壁のうちの一側壁２５には、左右一対の正方形の切欠き２６，２６が設けられ、前記上板１６の切欠き２６側の頂部は面取り形成され、係合部２７が設けられている。
【００１５】
次に、このように構成された電話機を壁掛けとして使用する場合を説明する。先ず、図示を省略したコードに余長部が発生した場合には、この余長部を図２（ｂ）における壁掛けブラケット１５の一対のコード巻取部２１，２１間に巻回する。図１に示すように、壁掛け用ブラケット１５を、筺体１のロアーケース３の底板４に係合孔１７が係合孔９と同じ向きとなるように、コード巻取部２１，２１のねじ挿通孔２２，２２（図３参照）に挿通したねじを、底板４のねじ孔（いずれも図示せず）に螺合させることにより卓上用の位置に固定する。
【００１６】
図２に示すように、壁２９にねじ２９ａ，２９ａによって取り付けられた上下一対の壁掛け部材２８，２８の鍔部２８ａ，２８ａに、係合孔９，１７の開口９ａ，１７ａから係入溝１１，１９を係入させる。筺体１を下方に移動させることにより、係合孔９，１７の周縁と舌片１０，１８とで、壁掛け部材２８，２８の鍔部２８ａ，２８ａが挟持され、筺体１が壁２９に略垂直状態で取り付けられる。
【００１７】
次に、図４ないし図７を用いて卓上で使用する場合を説明する。
図４において、３０は卓上用ベースであって、三角形に形成され互いに対向する一対の両側板３１，３１と、これら両側板３１，３１の後端側を連結する後板３２と、両側板３１，３１の下端側を連結する断面が階段状に形成された底板３３とによって一体に形成されている。図６に示すように、底板３３の後板３２側の略半分は切欠き形成され、略長方形の嵌入窓３４が設けられ、この嵌入窓３４の外形は、前記壁掛けブラケット１５の外形よりも大きく形成されている。また、この嵌入窓３４と底板３３を合計した外形は、ロアーケース３の底板４の膨出部７の外形よりも大きく形成されている。
【００１８】
図４において、この卓上用ベース３０の底板３３の前端側には、左右一対の抜け止め片３６，３６が一体に突設され、これら抜け止め片３６，３６は弾性変形可能なように厚みが小さく形成されている。これら抜け止め片３６，３６と対向するように、左右一対の軸受部３７，３７が底板３３に一体に形成され、図６に示すように、これら軸受部３７，３７は断面が半円状に形成され、内径が前記枢支部６の外径よりもわずかに大きく形成されている。
【００１９】
この軸受部３７と抜け止め片３６との間には隙間３８が設けられており、この隙間３８の間隔は、枢支部６の外径よりもやや小さくなるように設定されている。卓上用ベース３０の後板３２の下端には、後板３２の内側に折り返すように設けられた左右一対の弾性変形可能な係合片４０，４０が一体に形成され、これら係合片４０，４０には係合突起４１，４１がそれぞれ設けられている。
【００２０】
次に、このように構成された卓上用ベース３０を用いて電話機を卓上用として使用する場合を説明する。
まず、図１に示す壁掛けとして使用した壁掛けブラケット１５を、ロアーケース３の底板４の卓上用の位置から取り外す。図６に示すように、底板４の枢支部６に、卓上用ベース３０の抜け止め片３６の先端部を押し当てるようにして抜け止め片３６を弾性変形させることにより、隙間３８から軸受部３７に枢支部６を嵌入させる。軸受部３７に嵌入された枢支部６は、抜け止め片３６の先端によって軸受部３７からの抜けが規制されるので、卓上用ベース３０は枢支部６を回動中心として回動自在に支持される。
【００２１】
ここで、図示を省略したコードに余長部が発生した場合には、上述した壁掛けで使用する場合と同様に、この余長部をロアーケース３の底板４から取り外した前記壁掛けブラケット１５の一対のコード巻取部２１，２１間に巻回する。このように、コードを壁掛けブラケット１５に巻き取るのに、筺体１から壁掛けブラケット１５を取り外した状態で行えるので、筺体１の底部に直接巻取る場合と比較して、外形の大きい筺体１を把持する必要がなくなるので、巻取りの作業性が向上する。
【００２２】
壁掛けブラケット１５を図３（ｂ）に示すように上下を反転させ、図６において卓上用ベース３０の嵌入窓３４に嵌入させる。ねじ挿通孔２０，２０に挿通させたねじ４５をロアーケース３の膨出部７のねじ孔１３，１３に螺合させることにより、図４および図５に示すように、壁掛けブラケット１５が膨出部７の卓上用の位置に取り付けられる。図６に示すように、このように取り付けられた壁掛けブラケット１５の係合部２７が卓上用ベース３０の係合片４０の係合突起４１に係合するので、この係合突起４１は係合部２７とロアーケース３の凹部７ａとに挟持される。したがって、卓上用ベース３０は、壁掛けブラケット１５を介して筺体１のロアーケース３の底板４に取り付けられる。
【００２３】
卓上ベース３０の両側板３１，３１の下端を机５０の表面に当接させ、筺体１を壁掛けブラケット１５を介して机５０上に載置すると、両側板３１，３１が側面視三角形に形成されているので、筺体１の前面２ａは、机５０の表面に対して角度αだけ傾く。このとき、筺体１のロアーケース３の膨出部７，壁掛けブラケット１５，卓上用ベース３０の底板３３等が、卓上用ベース３０の両側板３１，３１および後板３２によって囲まれ、利用者から目視できないようになっており、このため外観の意匠性が向上する。
【００２４】
ここで、筺体１の前面２ａを机５０の表面に対して角度αだけ傾けただけでは、前面２ａ上のボタン類の操作性が向上しない場合やディスプレイの内容が視認しづらい場合には、卓上用ベース３０の係合片４０を弾性変形させ、係合突起４１と壁掛けブラケット１５の係合部２７との係合を解除する。卓上用ベース３０を、筺体１の枢支部６を回動中心として図６中時計方向に回動させ、図７に示すように、係合片４０の係合突起４１を壁掛け用ブラケット１５の切欠き２６に係合させることにより、筺体１の前面２ａが机５０の表面に対して角度βだけ傾く。このように、筺体１の前面２ａを机５０の表面に対してα、βの２種類の角度から選択して傾かせることができるので、利用者の使い勝手が向上する。
【００２５】
本実施の形態においては、壁掛け用ブラケット１５を壁掛け用の位置と卓上用の位置との２位置に固定自在としたが、卓上用ベース３０の外形を、壁掛け用の位置に固定した壁掛け用ブラケット１５を囲むように大きく形成することにより、壁掛け用ブラケット１５を壁掛け用の位置に固定したままの状態とすることもできる。この場合には、壁掛け用ブラケット１５を取り外したり、取り付けたりすることが不要になるので、壁掛けで使用する場合と卓上で使用する場合とでの交換作業が容易になる。また、コード巻取部２１を壁掛けブラケット１５のみに設けたが、卓上用ベース３０に設けてもよい。また、筺体１の前面２ａの机５０の表面に対して傾斜角度はα、βの２種類としたが、適宜増やすこともできる。
【００２６】
【発明の効果】
以上説明したように、請求項１に係る発明によれば、壁掛けブラケットの紛失を防止できるとともに、壁掛けで使用する場合と卓上で使用する場合とでの交換作業が容易になる。
【００２７】
また、請求項２に係る発明によれば、壁掛けブラケットの紛失を防止できる。
【００２８】
また、請求項３に係る発明によれば、利用者の使い勝手が向上する。
【００２９】
また、請求項４に係る発明によれば、コードの巻取りの作業性が向上する。
【図面の簡単な説明】
【図１】  本発明に係る卓上・壁掛け兼用電子機器において、壁掛け用として使用する場合の底面側から視た斜視図である。
【図２】  本発明に係る卓上・壁掛け兼用電子機器において、壁掛け用として使用している状態を示す断面図である。
【図３】  本発明に係る卓上・壁掛け兼用電子機器における壁掛け用ブラケットを示し、同図（ａ）は上面側から視た斜視図、同図（ｂ）は底面側から視た斜視図である。
【図４】  本発明に係る卓上・壁掛け兼用電子機器において、卓上用として使用する場合の底面側から視た斜視図である。
【図５】  本発明に係る卓上・壁掛け兼用電子機器において、卓上用として使用する場合の底面側から視た底面図である。
【図６】  本発明に係る卓上・壁掛け兼用電子機器において、卓上用として使用している状態を示す図５におけるVI-VI 線断面図である。
【図７】  本発明に係る卓上・壁掛け兼用電子機器において、卓上用として、前面の角度を変えて使用している状態を示す図５におけるVI-VI 線断面図である。
【符号の説明】
１…筺体、３…ロアーケース、６…枢支部、１５…壁掛けブラケット、２１…コード巻取部、２６…切欠き、２７…係合部、２９…壁、３０…卓上用ベース、３７…軸受部、４０…係合片、４１…係合突起、５０…机。
【図１】
0003726612.tif 000002
【図２】
0003726612.tif 000003
【図３】
0003726612.tif 000004
【図４】
0003726612.tif 000005
【図５】
0003726612.tif 000006
【図６】
0003726612.tif 000007
【図７】
0003726612.tif 000008